(57)【要約】【課題】  部品点数を少なくし、コストの低減が図れるとともに、安定した排出を可能とした取出し機能付きカードコネクタの提供の提供。【解決手段】  カード状部材１が挿入されるハウジング２と、カード状部材１の移動を規制するロック機構とを備え、取出し操作用部材８を動作させることによりカード状部材１の規制が解除され、カード状部材が取出されるようにし、ハウジング２は、カード状部材１が挿入されるモールドケース１０と、モールドケース１０に対しカードの出し入れ方向で移動可能なシールドカバー１１とを備え、シールドカバー１１は、カード状部材１の奥側縁部が当て止めされる当て止め板部２２を備えるとともに、復帰バネ３０が当て止めされる被付勢板部２４を備え、復帰バネ３０によりカード状部材１の押し出し方向に付勢されてカード状部材１と共に出し入れ方向に移動可能とした。【選択図】  図３
2012146486.tif 000002
【特許請求の範囲】
【請求項１】
カード状部材が挿入されるカード挿入部が前面に開口されたハウジングと、所定の押し込み位置で前記カード状部材の移動を規制するロック機構とを備え、前記ハウジング内に挿入される取出し操作用部材を動作させることにより前記カード状部材の規制が解除され、前記カード状部材が取出されるようにした取出し機能付きカードコネクタにおいて、
前記ハウジングは、前記カード状部材が挿入されるモールドケースと、該モールドケースに対しカード状部材の出し入れ方向で移動可能なシールドカバーとを備え、
該シールドカバーは、前記カード状部材の奥側縁部が当て止めされる当て止め板部を備えるとともに、一方の端部が前記モールドケースに固定された復帰バネの他端が当て止めされる被付勢板部を備え、前記シールドカバーは、前記復帰バネによりカード状部材の押し出し方向に付勢されて前記カード状部材と共にカード状部材の出し入れ方向に移動可能としたことを特徴としてなる取出し機能付きカードコネクタ。
【請求項２】
前記ロック機構は、前記シールドカバーに形成された被ロック板部に弾性的に係合可能な弾性係止部を有するロック部材を備え、
前記弾性係止部は、前記所定の押し込み位置において前記被ロック板部と互いに係合する係合部と、前記取出し操作用部材と接触することによって前記弾性係止部を前記係合部が前記被ロック板部より離反する方向に動作させる操作部とを備えたことを特徴としてなる取出し機能付きカードコネクタ。
【発明の詳細な説明】
【技術分野】
【０００１】
本発明は、ＩＣカード等のカードを基板に接続するためのカードコネクタであって、カードを簡単な操作で取り出すことのできる取り出し機能付きカードコネクタに関する。
【背景技術】
【０００２】
従来、この種のカードコネクタにおいては、プッシュピンを操作することによりカードを収容したカードトレイ等のカード状部材をハウジング内より取り出すことができる取出し機能付きのものが知られている（例えば、特許文献１）。
【０００３】
この取出し機能付きカードコネクタは、例えば、図１０に示すように、ハウジング１００のカード挿抜方向奥側に回動可能に支持された押出アーム１０１を備え、プッシュピン１０２で押出しアーム１０１の一方の端部を押し込むことにより押出アーム１０１を回動させ、アームの他端側１０３でカードトレイ１０４の奥側縁を排出方向に押し出すようになっている。
【先行技術文献】
【特許文献】
【０００４】
【特許文献１】特開平１０−１８９１３９号公報
【発明の概要】
【発明が解決しようとする課題】
【０００５】
しかしながら、上述の如き従来の技術では、押出しアーム及び押出アームを操作するためのプッシュピン等からなる取出し機構を有するため、コネクタ全体の外形、即ち、コネクタが取り付けられる基板に対する専有面積が大きくなり、それに伴い設計の自由度も低下するという問題があった。一方でコネクタの小型化を図るため押出しアームの外形を小さくすると、十分な押出し量をもってカード状部材を排出するのに必要なアームの長さが確保できないという問題があった。
【０００６】
また、カード状部材を押し出す際、操作者の加えた力がプッシュピンを介して押し出しアームに伝わるため、操作者が力を入れすぎるとカード状部材が勢いよく飛び出してしまい、カード等の破損を招く虞があるという問題があった。更に、落下等による衝撃によってもトレイ等のカード状部材が抜け出てしまう虞があるという問題があった。
【０００７】
更には、このような取出し機構を有するために部品点数が増加し、コストが嵩むという問題があった。
【０００８】
本発明は、このような従来の問題に鑑み、部品点数を少なくし、コストの低減が図れるとともに、安定した排出を可能とした取出し機能付きカードコネクタの提供を目的としてなされたものである。
【課題を解決するための手段】
【０００９】
上述の如き従来の問題を解決し、所期の目的を達成するための請求項1に記載の発明の特徴は、カード状部材が挿入されるカード挿入部が前面に開口されたハウジングと、所定の押し込み位置で前記カード状部材の移動を規制するロック機構とを備え、該ロック機構を操作するための取出し操作用部材を動作させることにより前記カード状部材の規制が解除され、前記カード状部材が取出されるようにした取出し機能付きカードコネクタにおいて、前記ハウジングは、前記カード状部材が挿入されるモールドケースと、該モールドケースに対しカード状部材の出し入れ方向で移動可能なシールドカバーとを備え、該シールドカバーは、前記カード状部材の奥側縁部が当て止めされる当て止め板部を備えるとともに、一方の端部が前記モールドケースに固定された復帰バネの他端が当て止めされる被付勢板部を備え、前記復帰バネによりカード状部材の押し出し方向に付勢されて前記カード状部材と共にカード状部材の出し入れ方向に移動可能としたことにある。
【００１０】
請求項２に記載の発明の特徴は、請求項１の構成に加え、前記ロック機構は、前記シールドカバーに形成された被ロック板部に弾性的に係合可能な弾性係止部を有するロック部材を備え、前記弾性係止部は、前記所定の押し込み位置において前記被ロック板部と互いに係合する係合部と、前記取出し操作用部材と接触することによって前記弾性係止部を前記係合部が前記被ロック板部より離反する方向に動作させる操作部とを備えたことにある。
【発明の効果】
【００１１】
本発明に係る取出し機能付きカードコネクタは、上述したように、カード状部材が挿入されるカード挿入部が前面に開口されたハウジングと、所定の押し込み位置で前記カード状部材の移動を規制するロック機構とを備え、該ロック機構を操作するための取出し操作用部材を動作させることにより前記カード状部材の規制が解除され、前記カード状部材が取出されるようにした取出し機能付きカードコネクタにおいて、前記ハウジングは、前記カード状部材が挿入されるモールドケースと、該モールドケースに対しカード状部材の出し入れ方向で移動可能なシールドカバーとを備え、該シールドカバーは、前記カード状部材の奥側縁部が当て止めされる当て止め板部を備えるとともに、一方の端部が前記モールドケースに固定された復帰バネの他端が当て止めされる被付勢板部を備え、前記復帰バネによりカード状部材の押し出し方向に付勢されて前記カード状部材と共にカード状部材の出し入れ方向に移動可能としたことにより、シールドカバーがカードトレイ等のカード状部材を取り出すためのスライダーの機能を兼用し、部品点数を減らして構造を簡略化することができるとともに、コストの低減を図ることができる。
【００１２】
また、本発明において、前記ロック機構は、前記シールドカバーに形成された被ロック板部に弾性的に係合可能な弾性係止部を有するロック部材を備え、前記弾性係止部は、前記所定の押し込み位置において前記被ロック板部と互いに係合する係合部と、前記取出し操作用部材と接触することによって前記弾性係止部を前記係合部が前記被ロック板部より離反する方向に動作させる操作部とを備えたことにより、押出し用のアーム等が不要となりコネクタ全体の外形を小型化することができ、一方、小型化されても安定した押し出し量をもってカードトレイ等のカード状部材を取り出すことができる。
【図面の簡単な説明】
【００１３】
【図１】本発明に係る取出し機能付きカードコネクタの一例を示す斜視図である。
【図２】同上のＡ−Ａ線断面図である。
【図３】同上の取出し動作時の状態を示す斜視図である。
【図４】（ａ）は図１中のカードトレイを示す平面図、（ｂ）は同底面図、（ｃ）は同Ｂ−Ｂ線断面図である。
【図５】（ａ）は図１中のシールドカバーを示す平面図、（ｂ）は同正面図、（ｃ）は同Ｃ−Ｃ線断面図ある。
【図６】同上のカードコネクタの押出し停止位置における状態の概略を示す平面図である。
【図７】同上のカードコネクタの所定の押し込み位置における状態の概略を示す平面図である。
【図８】（ａ）はフルロックされた状態のロック部材の状態を示す部分拡大断面図、（ｂ）はロック部材のロックが解除された状態を示す部分拡大断面図である。
【図９】ロック機構部分の他の一例を示す部分拡大平面図である。
【図１０】従来の取付け機能付きカードコネクタの一例を示す平面図である。
【発明を実施するための形態】
【００１４】
次に、本発明に係るカードコネクタの実施の態様を、図面に示した実施例に基づいて説明する。尚、図中符号ＡはＩＣカード等のカードである。
【００１５】
このカードコネクタは、カードＡを収容したカードトレイ１をハウジング２に挿入することにより、カードＡの片面に配置された端子部３，３...がハウジング２内に支持されたコンタクト４，４...と弾性的に接触し、コンタクト４を介してカード３をハウジング２が設置された基板に電気的に接続させるようになっている。
【００１６】
カードトレイ１は、図４に示すように、片面側にカードが収容されるカード収容凹部５ａを有する平板状の本体部５と、本体部５の挿入方向手前側に配置された前縁露出部６とを有して絶縁性樹脂材により一体に形成されている。
【００１７】
前縁露出部６は、カードコネクタが電気機器に組み込まれた際に機器躯体の外側面に露出するようになっており、カードトレイ１がハウジング２より排出された場合、カードトレイ１が機器躯体の外側面より引き出し状に突出するようになっている。尚、図中符号７は、後述する取出し操作用部材８をガイドするためのガイド孔である。
【００１８】
ハウジング２は、絶縁樹脂材からなるモールドケース１０と、シールドカバー１１とを組み合わせて構成され、カードトレイ１が挿入されるカード状部材挿入部１２が前面に開口して形成されている。
【００１９】
尚、カード状部材挿入部１２の側部には、所定の押し込み位置でシールドカバー１１の移動を規制するロック機構を備え、このロック機構は、針金棒状のピンからなる取出し操作用部材８をシールドカバー１１の移動方向に沿って動作させることにより規制が解除できるようになっている。
【００２０】
シールドカバー１１は、図５に示すように、平板状の天板部１３と、天板部１３の側縁より下向きに折り曲げた形状の左右の側板部１４，１４とを備え、導電性板材を折り曲げ加工することにより形成されている。
【００２１】
また、シールドカバー１１は、スライド機構によりモールドケース１０に対しカードトレイ１の出し入れ方向に移動できるようになっている。
【００２２】
スライド機構は、側板部１４に形成されたスライド方向に向けたスライド用溝１４ａにモールドカバー１０の側面より突出した係止用突起１０ｄが挿入されて構成され、スライド用溝１４ａの長さ分だけスライドできるようになっている。
【００２３】
天板部１２には、切り出し・折り曲げ加工により当て止め板部２２、側縁ガイド板部２３、被付勢板部２４及び操作用部材ガイド板２５、被ロック板部２６が形成されている。
【００２４】
当て止め板部２２は、天板部１３の出し入れ方向奥側部に天板部１３の奥側縁と平行な折り目２２ａを残してコ字状に切り出し、それを折り目２２ａより下向き、即ちハウジング内部側に折り曲げた形状に形成され、カード状部材挿入部１２に挿入されたカードトレイ１の奥側縁部が当て止めされるようになっている。
【００２５】
側縁ガイド板部２３は、天板部１３の側縁と平行な折り目２３ａを残して長板状になるように切り出し、それを折り目２３ａより下向き、即ちハウジング内部側に折り曲げた形状に形成され、カード状部材挿入部１２に挿入されたカードトレイ１の側縁部をガイドするようになっている。
【００２６】
被付勢板部２４は、側縁ガイド板部２３の出し入れ方向手前側端部を外側に折り曲げた形状に形成され、一方の端部がモールドケース１０に固定された復帰バネ３０の他端が当て止めされ、この被付勢板部２４を介して復帰バネ３０によりシールドカバー１１全体が押し出し方向に付勢される。
【００２７】
被ロック板部２６は、折り目２３ａと平行な折り目２６ａを残してコ字状に切り出し、それを折り目２６ａより下向き、即ちハウジング内部側に折り曲げた形状に形成され、側縁ガイド板部２３と復帰バネ３０を挟んで互いに対向するように配置されている。
【００２８】
尚、被ロック板部２６には、後述するロック部材３１の係合部３２が着脱可能に係合される係止用切欠２７が形成されている。
【００２９】
操作用部材ガイド板２５は、天板部１３の側縁と平行な折り目２５ａを残して長板状になるように切り出し、それを折り目２５ａより下向き、即ちハウジング内部側に折り曲げた形状に形成され、この操作用部材ガイド板２５の出し入れ方向手前側端部は、カードトレイ側に斜めに向けた形状に形成され、挿入された取出し操作用部材８を所定の操作が可能な位置にガイドするピンガイド部を形成している。
【００３０】
ロック機構は、被ロック板部２６と互いに係合可能なロック部材３１を備え、このロック部材３１が所定の押し込み位置において被ロック板部２６と係合することで所定の押し込み位置においてシールドカバー１１の移動を規制することができるようになっている。
【００３１】
ロック部材３１は、弾性を有する金属性板材を折り曲げ加工することにより全体が一体に形成され、シールドケース１１に対し弾性的に係合可能な弾性係止部４０を有している。
【００３２】
弾性係止部４０は、平板状のバネ基部３４と、バネ基部３４の側縁に支持された弾性バネ片３５，３５を介して支持された可動板部３６とを有して構成されている。
【００３３】
バネ基部３４は、モールドケース１０を成形する際にインサート成型によりモールドケース１０の底板部と一体化されたインサート部４１に一体に支持されて、モールドケース１０底板部に形成された逃げ用孔４２の内縁より孔４２内に突出して形成され、インサート部４１側の基端部を軸に弾性的に上下方向で回動することができるようになっている。
【００３４】
弾性バネ片３５は、バネ基部３４の側縁より上向きに折り曲げた形状に形成され、可動板部３６がバネ基部３４に対し回動できるようにするとともにそのバネ性により可動板部３６を原位置に復帰させるようになっている。
【００３５】
可動板部３６は、細長板状に形成され、その長手方向の一端に係合部３２が形成されている。
【００３６】
係合部３２は、先端部を被ロック板部側に向けて略直角に折り曲げた形状に形成され、係合用切欠部２７の挿抜方向奥側内側縁と互いに係合されるようになっている。
【００３７】
この可動板部３６の手前側部には、カードトレイ側に突出した操作部３７が形成されている。
【００３８】
操作部３７は、プレス加工により上面視山形状に形成され、係合部３２がシールドカバー１１と互いに係合している際には、シールドカバー１１の手前側端部、即ち被付勢板部２４の外側底面の出し入れ方向手前側に突出するように配置されている。
【００３９】
このように構成された取出し機能付きカードコネクタは、押出し停止位置においては、図３に示すように、シールドカバー１１が押し出し方向にスライドした状態にあり、カードトレイ１をハウジング２内に挿入するとカードトレイ１の奥側縁部がシールドカバー１１の当て止め板部２２に当接する位置まで挿入される。
【００４０】
この状態で一定以上の力をもってカードトレイ１を引き出し方向に移動させればカードトレイ１をハウジング２より抜き出すことができる。
【００４１】
復帰バネ３０による付勢力に抗してカードトレイ１を更に押し込むと、被ロック板部２６に操作部３７が接触して弾性係止部４０が被ロック板部２６より離反する方向に回動し、カードトレイ１とともにシールドカバー１１は、抵抗を受けずに押し込むことができる。
【００４２】
そして、所定の押し込み位置に到達すると、図７に示すように、可動板部３６が弾性バネ片３５の弾性により原位置に復帰し、ロック部材３１の係止片３２が被ロック板部２６の係合用切欠き部２７と互いに係合してシールドカバー１１の移動が規制されるとともに操作部３７が被付勢部２４の手前側に突出した状態となる。
【００４３】
次に、カードトレイ１を取り出すには、カードトレイ１の前縁露出部６に形成されたガイド孔７より取出し操作用部材８を挿入すると、ハウジング２内を通って更に操作用部材ガイド板２５にガイドされて所定の操作可能な位置まで到達し、図８（ｂ）に示すように、取出し操作用部材８の外面に操作部３７が接触し、操作部３７を介して弾性係止部４０が押されて反時計回りに回動し、係合部３２を被ロック板部２６より離脱させる。
【００４４】
係合部３２が被ロック板部２６より離脱したことによりシールドカバー１１の移動規制が解除され、それと同時に復帰バネ３０により付勢されてシールドカバー１１は取出し操作用部材８の先端部に被付勢板部２４が当接されて取出し操作用部材８の動作に伴い一体的に動作する状態となる。
【００４５】
そして、取出し操作用部材８の引き抜き動作に伴い、シールドカバー１１は、押出し停止位置まで取出し操作用部材８により移動を制御されつつ移動し、シールドカバー１１とともにカードトレイ１も移動し、一定の押し出し量をもって押し出し停止位置までカードトレイ１が押し出される。
【００４６】
尚、ロック部材は、上述の実施例の他、図９に示すように、弾性係止部５０が片持ち支持された形状のものであってもよい。
【００４７】
このロック部材は、弾性係止部５０が細長板状に形成されており、一方の端部に被ロック板部側に向けて略直角に折り曲げた形状の係合部５１を有し、他端側がハウジングに固定された支持部５２に一体に支持されている。また、弾性係止部５０の中央よりやや支持部側にカード状部材側に突出した形状の操作部５３が形成されており、この操作部５３が取出し操作用部材８と接触することにより図中点線で示すように、弾性係止部５０を支持部側を基端として係合部５１が被ロック板部２６より離反する方向に回動させるようになっている。
【００４８】
また、上述の実施例では、カード状部材として内部にカードを収容するカードトレイを用いた例について説明したが、トレイを用いずにカードを直接コネクタに挿入するようにしたものであってもよい。
【符号の説明】
【００４９】
Ａ  カード
１  カードトレイ
２  ハウジング
３  端子部
４  コンタクト
５  本体部
６  前縁露出部
７  ガイド孔
８  取出し操作用部材
１０  モールドケース
１１  シールドカバー
１２  カード状部材挿入部
１３  天板部
１４  側板部
１５  把持板部
２１  ロック用凹部
２２  当て止め板部
２３  側縁ガイド板部
２４  被付勢板部
２５  操作用部材ガイド板
２６  被ロック板部
２７  係止用切欠
３０  復帰バネ
３１  ロック部材
３２  係合部
３３  無理抜き防止用部材
３４  支持板部
３５  弾性バネ片
３６  可動板部
３７  操作部
５０  弾性係止部
５１  係合部
５２  支持部
５３  操作部
【図１】
2012146486.tif 000003
【図２】
2012146486.tif 000004
【図３】
2012146486.tif 000005
【図４】
2012146486.tif 000006
【図５】
2012146486.tif 000007
【図６】
2012146486.tif 000008
【図７】
2012146486.tif 000009
【図８】
2012146486.tif 000010
【図９】
2012146486.tif 000011
【図１０】
2012146486.tif 000012